(57)【要約】【課題】  Ｖ．３４プロトコルなどで求めたプリエンファシス値をＶ．１７プロトコルなどに準拠した通信で使うケーブルイコライザの設定値に適用することにより、手数をかけずに最適なケーブルイコライザの値を設定できるファクシミリ通信装置を提供する。【解決手段】  プリエンファシス値を受信可能なＶ．３４プロトコル、およびプリエンファシス値を受信不可能なＶ．１７プロトコルなどに準拠したファクシミリ通信を行うことができるファクシミリ装置において、Ｖ．３４プロトコル制御部１０がＶ．３４プロトコルに準拠してプリエンファシス値を受信・取得し、ＣＰＵ１が取得されたそのプリエンファシス値からケーブルイコライザ設定のためのイコライザ値を求め、Ｖ．１７プロトコルに準拠した通信時には、プロトコル制御部９が求められているイコライザ値に従って設定したケーブルイコライザを用いて通信する構成にした。【選択図】        図１
2006229370.tif 000002
【特許請求の範囲】
【請求項１】
プリエンファシス値を受信可能な第１のプロトコルと、プリエンファシス値を受信不可能な第２のプロトコルに準拠したファクシミリ通信を行うことができるファクシミリ通信装置において、前記第１のプロトコルに準拠してプリエンファシス値を受信・取得するプリエンファシス取得手段と、前記プリエンファシス取得手段により取得されたプリエンファシス値からケーブルイコライザ設定のためのイコライザ値を求めるイコライザ値算出手段と、を備え、前記第２のプロトコルに準拠した通信時に前記イコライザ値算出手段により求めたイコライザ値を用いて設定したケーブルイコライザを用いるようにしたことを特徴とするファクシミリ通信装置。
【請求項２】
請求項１記載のファクシミリ通信装置において、
前記第１のプロトコルがＶ．３４プロトコルであり、前記第２のプロトコルがＶ．１７、Ｖ．２９、またはＶ．２７ｔｅｒプロトコルであることを特徴とするファクシミリ通信装置。
【請求項３】
請求項１または請求項２記載のファクシミリ通信装置において、前記プリエンファシス取得手段は、複数回の通信結果からプリエンファシス値を求めることを特徴とするファクシミリ通信装置。
【請求項４】
請求項１乃至請求項３の何れか一項に記載のファクシミリ通信装置において、プリエンファシス値にしたがって前記イコライザ値を変更可能に構成したことを特徴とするファクシミリ通信装置。
【請求項５】
請求項１乃至請求項４のいずれか一項に記載のファクシミリ通信装置において、前記イコライザ値算出手段は前記プリエンファシス値と前記イコライザ値を対応付けた変換テーブルを用いてプリエンファシス値からケーブルイコライザ値を求めることを特徴とするファクシミリ通信装置。
【請求項６】
請求項１記載のファクシミリ通信装置において、前記プリエンファシス取得手段は受信したＩＮＦＯｈ内のプリエンファシス値を取得することを特徴とするファクシミリ通信装置。
【請求項７】
請求項１乃至請求項６のいずれか一項に記載のファクシミリ通信装置において、前記プリエンファシス値を用いてケーブルイコライザの設定を行うか否かを選択する選択手段を備えたことを特徴とするファクシミリ通信装置。
【請求項８】
請求項１乃至請求項６のいずれか一項に記載のファクシミリ通信装置において、変換命令が含まれたＮＳＦ信号またはＮＳＳ信号を相手側から受信したときだけプリエンファシス値を用いてケーブルイコライザの設定を行うことを特徴とするファクシミリ通信装置。
【請求項９】
請求項１乃至請求項８のいずれか一項に記載のファクシミリ通信装置において、ケーブルイコライザの設定値の消去を指示する操作手段と、その操作手段による指示に応じて前記ケーブルイコライザの設定値を消去する消去手段とを備えたことを特徴とするファクシミリ通信装置。
【請求項１０】
プリエンファシス値を受信可能な第１のプロトコル、およびプリエンファシス値を受信不可能な第２のプロトコルに準拠したファクシミリ通信を行うファクシミリ通信方法において、前記第１のプロトコルに準拠してプリエンファシス値を受信・取得し、そのプリエンファシス値からケーブルイコライザ設定のためのイコライザ値を求め、前記第２のプロトコルに準拠した通信時には、求められた前記イコライザ値を用いて設定したケーブルイコライザを用いることを特徴とするファクシミリ通信方法。
【請求項１１】
プリエンファシス値を受信可能な第１のプロトコル、およびプリエンファシス値を受信不可能な第２のプロトコルに準拠したファクシミリ通信を行うファクシミリ通信プログラムにおいて、前記第１のプロトコルに準拠してプリエンファシス値をプリエンファシス取得手段により受信・取得させ、そのプリエンファシス値からケーブルイコライザ設定のためのイコライザ値を求め、前記第２のプロトコルに準拠した通信時に求められた前記イコライザ値を用いて設定したケーブルイコライザを用いるようにプログラミングされていることを特徴とするファクシミリ通信プログラム。
【発明の詳細な説明】
【技術分野】
【０００１】
本発明は、専用のファクシミリ装置や、ファクシミリ通信を行うことができる通信端末装置などファクシミリ通信装置に係り、特にＶ．３４プロトコルとＶ．１７プロトコルなど、特定の複数のプロトコルに準拠したファクシミリ通信を行うことができるファクシミリ通信装置、ファクシミリ通信方法、及びファクシミリ通信プログラムに関する。
【背景技術】
【０００２】
ファクシミリ通信を行うファクシミリ通信装置では、モデム（変復調装置）により信号を変調して送信するが、この場合、所定の通信手順（プロトコル）に従って伝送品質（回線品質）に応じた伝送速度を設定することができる。
この伝送品質は回線の伝送劣化特性に影響され、その伝送劣化特性は、一般に、接続される回線によりある程度決まっている定常要因に係る特性と、通信時の回線状況により変化する非定常要因に係る特性に分類される。このうち、定常要因に対応する機能として、ファクシミリ通信装置は従来からプリエンファシス機能（前強調機能）およびケーブルイコライザ機能を備えている。
例えばＩＴＵ−Ｔ規格のＶ．１７プロトコルでは、ケーブルイコライザをあらかじめ設定してから画情報通信を行うようにしているし、Ｖ．３４プロトコルでは、送られてきたテスト用のプロービング信号を回線から取得するラインプロ−ビングにより受信側で通信帯域を測定して、最適なプリエンファシス値を送信側に通知し、そのプリエンファシス値に基づいて画情報通信を行っている。なお、ケーブルエコライザ機能とは回線歪みを等化する機能であり、プリエンファシス機能とは回線網内で生じる高周波数域における減衰分を送信側で増幅して送信する機能である。
【０００３】
以下、特許文献に示された本発明の関連従来技術について説明する。
まず、特許文献１では、所定の通信前手順により伝送品質に応じて伝送速度を設定してデータ通信を行うデータ通信装置において、リンク数によって変わっていく回線特性を補正するリンクイコライザを備え、自己の呼番号と通信先の呼番号を比較し、その比較結果に基づいてその通信先と接続する回線のリンク数を推定し、推定したリンク数に基づいて伝送路の通過帯域特性を補正するリンクイコライザ条件を設定する。
また、特許文献２では、所定の通信前手順により伝送品質に応じて速度を設定してデータ通信を行うデータ通信装置において、通信先番号ごとの伝送速度とプリエンファレンス条件の履歴情報を記憶し、送信時、その履歴情報に基づいてプリエンファレンス条件を設定する。
また、特許文献３では、回線歪みの等化特性の異なる複数のイコライザと、発呼する電話番号と回線距離の関係を特定する回線距離特定手段とを備え、特定された回線距離に対応した等化特性のイコライザを選択する。
また、特許文献４では、補正特性の異なる複数のイコライザと、通信相手先に適合するイコライザを記憶するメモリを備え、イコライザがメモリに記憶されている場合にはそのイコライザを用い、記憶されていない場合には前記複数のイコライザのなかから１つを選択するとともに、後者の場合でモデムトレーニング失敗時、そのときのエラー発生量を記憶する動作を複数のイコライザについて繰り返し、すべてのイコライザについて失敗の場合、エラー発生量の最小のイコライザを選択する。
【特許文献１】特開平３−１２６３２７号公報
【特許文献２】特開平３−１３６４３５号公報
【特許文献３】特開平４−２８８７６８号公報
【特許文献４】特開平５−２８４３２１号公報
【発明の開示】
【発明が解決しようとする課題】
【０００４】
しかしながら、Ｖ．１７プロトコルなどに準拠した従来技術では、あらかじめケーブルイコライザを設定する方式の場合、前記した特許文献１〜４に示された従来技術を含め、適切な値を探して設定する必要がある。また、特許文献４に示された従来技術のように通信中に動的に変更させる方法では通信時間が延びるという問題もある。
本発明の目的は、このような従来技術の問題を解決しようとするものであり、具体的には、例えばＶ．３４プロトコルなどで求めたプリエンファシス値をＶ．１７プロトコルなどに準拠した通信で使うケーブルイコライザの設定値に適用することにより、手数をかけずに最適なケーブルイコライザの値を設定できるファクシミリ通信装置を提供することにある。
【課題を解決するための手段】
【０００５】
前記した課題を解決するために、請求項１記載の発明は、プリエンファシス値を受信可能な第１のプロトコルと、プリエンファシス値を受信不可能な第２のプロトコルに準拠したファクシミリ通信を行うことができるファクシミリ通信装置において、前記第１のプロトコルに準拠してプリエンファシス値を受信・取得するプリエンファシス取得手段と、前記プリエンファシス取得手段により取得されたプリエンファシス値からケーブルイコライザ設定のためのイコライザ値を求めるイコライザ値算出手段と、を備え、前記第２のプロトコルに準拠した通信時に、前記イコライザ値算出手段により求めたイコライザ値を用いて設定したケーブルイコライザを用いるようにしたことを特徴とする。
また請求項２記載の発明は、請求項１記載のファクシミリ通信装置において、前記第１のプロトコルがＶ．３４プロトコルであり、前記第２のプロトコルがＶ．１７、Ｖ．２９、またはＶ．２７ｔｅｒプロトコルであることを特徴とする。
また請求項３記載の発明は、請求項１または請求項２記載のファクシミリ通信装置において、前記プリエンファシス取得手段は、複数回の通信結果からプリエンファシス値を求めることを特徴とする。
また請求項４記載の発明は、請求項１乃至請求項３の何れか一項に記載のファクシミリ通信装置において、プリエンファシス値にしたがって前記イコライザ値を変更可能に構成したことを特徴とする。
また請求項５記載の発明は、請求項１乃至請求項４のいずれか一項に記載のファクシミリ通信装置において、前記イコライザ値算出手段は前記プリエンファシス値と前記イコライザ値を対応付けた変換テーブルを用いてプリエンファシス値からケーブルイコライザ値を求めることを特徴とする。
【０００６】
また請求項６記載の発明は、請求項１記載のファクシミリ通信装置において、前記プリエンファシス取得手段は受信したＩＮＦＯｈ内のプリエンファシス値を取得することを特徴とする。
また請求項７記載の発明は、請求項１乃至請求項６のいずれか一項に記載のファクシミリ通信装置において、前記プリエンファシス値を用いてケーブルイコライザの設定を行うか否かを選択する選択手段を備えたことを特徴とする。
また請求項８記載の発明は、請求項１乃至請求項６のいずれか一項に記載のファクシミリ通信装置において、変換命令が含まれたＮＳＦ信号またはＮＳＳ信号を相手側から受信したときだけプリエンファシス値を用いてケーブルイコライザの設定を行うことを特徴とする。
また請求項９記載の発明は、請求項１乃至請求項８のいずれか一項に記載のファクシミリ通信装置において、ケーブルイコライザの設定値の消去を指示する操作手段と、その操作手段による指示に応じて前記ケーブルイコライザの設定値を消去する消去手段とを備えたことを特徴とする。
また請求項１０記載の発明は、プリエンファシス値を受信可能な第１のプロトコル、およびプリエンファシス値を受信不可能な第２のプロトコルに準拠したファクシミリ通信を行うファクシミリ通信方法において、前記第１のプロトコルに準拠してプリエンファシス値を受信・取得し、そのプリエンファシス値からケーブルイコライザ設定のためのイコライザ値を求め、前記第２のプロトコルに準拠した通信時には、求められた前記イコライザ値を用いて設定したケーブルイコライザを用いることを特徴とする。
また請求項１１記載の発明は、プリエンファシス値を受信可能な第１のプロトコル、およびプリエンファシス値を受信不可能な第２のプロトコルに準拠したファクシミリ通信を行うファクシミリ通信プログラムにおいて、前記第１のプロトコルに準拠してプリエンファシス値をプリエンファシス取得手段により受信・取得させ、そのプリエンファシス値からケーブルイコライザ設定のためのイコライザ値を求め、前記第２のプロトコルに準拠した通信時には、求められた前記イコライザ値を用いて設定したケーブルイコライザを用いるようにプログラミングされていることを特徴とする。
【発明の効果】
【０００７】
本発明によれば、プリエンファシス値を受信可能な第１のプロトコル、およびプリエンファシス値を受信不可能な第２のプロトコルに準拠したファクシミリ通信を行うことができるファクシミリ通信装置において、第１のプロトコルに準拠してプリエンファシス値を受信・取得し、そのプリエンファシス値からケーブルイコライザ設定のためのイコライザ値を求めておき、第２のプロトコルに準拠した通信時には、求められたイコライザ値を用いて設定したケーブルイコライザを用いることができるので、最適なイコライザ値が設定されたケーブルイコライザを容易に用いることができる。
【発明を実施するための最良の形態】
【０００８】
本発明は前記したプリエンファシス値とケーブルイコライザの設定値（イコライザ値）との間には相関関係があることを利用している。また、送受信装置間の電話回線網のうち、幹線のデジタル網は信号のレベル低下や歪みを殆どもたらさず、主としてファクシミリ装置から交換局までの加入者線のみが信号のレベル低下や歪みをもたらすことを利用している。
以下、図面により本発明の実施形態を詳細に説明する。但し、この実施形態に記載される構成要素、種類、組み合わせ、形状、その相対位置などは特定的な記載がない限りこの説明の範囲をそれのみに限定する主旨ではなく、単なる説明例に過ぎない。
図１は、本発明の一実施形態を示すファクシミリ装置要部の構成ブロック図である。図示したように、このファクシミリ装置は、ＣＰＵ１、ＲＯＭ２、ＲＡＭ３、スキャナ４、プロッタ５、操作表示部６、網制御部７、モデム８、プロトコル制御部９、Ｖ．３４プロトコル制御部１０、Ｖ．８プロトコル制御部１１、システムバス１２などを備えている。
前記において、ＣＰＵ１はプログラムに従ってこのファクシミリ装置の各部の制御を行う。ＲＯＭ２には、そのプログラムやプロトコル（伝送制御手順）用のプログラム、フォント、その他のデータなどが記憶されている。ＲＡＭ３は、ＣＰＵ１がプログラムを実行する際にワークメモリとして用いるとともに、各種パラメータやユーザ登録データなどを記憶するのに用いる。通信先電話番号に対応付け、用いるプロトコルなど発呼属性も記憶される。スキャナ４は所定の解像度で原稿の画像を読み取る画像読み取り手段であり、プロッタ５は所定の解像度で画像またはレポート類を印刷出力する出力手段である。
【０００９】
また、操作表示部６は各種キーや表示装置を備え、利用者はこれを用いて通信操作および登録操作などを行うことができる。網制御部７は公衆電話回線網に接続するための制御手段であり、自動発着信機能も有している。モデム８は、送受信されるファクシミリ信号を変復調する機能を有しており、Ｖ．１７、Ｖ．３３、Ｖ．３４、Ｖ．２９、Ｖ．２７ｔｅｒ、ＦＳＫモードなどを有している。
また、プロトコル制御部９はＶ．８およびＶ．３４以外のプロトコルを制御する。Ｖ．３４プロトコル制御部１０およびＶ．８プロトコル制御部１１は図２に示したＶ．３４、Ｖ．８シーケンスを制御する。なお、図２において、ＣＪ信号までがＶ．８シーケンスで、そのあとはＶ．３４シーケンスである。
このような構成で、このファクシミリ装置ではＶ．３４（第１のプロトコル）、Ｖ．１７（第２のプロトコル）、およびＶ．８プロトコルなどに準拠したファクシミリ通信を行うことができる。
図２は前記したようにＶ．８、Ｖ．３４シーケンスを示したものである。図示したように、発呼側（ＴＸ側）はＣＮＧ，ＣＭ，ＣＪ，・・・という順で各信号を送信していく。また、着呼側（ＲＸ側）はＡＮＳａｍ，ＪＭ，・・・というように送信していく。この際、着信結果をもとに、プリエンファシス値が着呼側からのＩＮＦＯｈ信号で発呼側に通知される。
【００１０】
［第１の実施形態］
図３は第１の実施形態に係るファクシミリ装置の動作フロー図である。
以下、図３に従ってこの動作フローを説明する。なお、この実施例では、請求項記載のプリエンファシス取得手段がＶ．３４プロトコル制御部１０により実現され、イコライザ値算出手段がＣＰＵ１などにより実現される。
この実施例では、ファクシミリ通信発生時、ＣＰＵ１が、発生した通信はＶ．３４受信か、Ｖ．３４送信か、それともＶ．１７通信かを判定する。そのため、ＣＮＧ信号を受信したならば、それに続いてＣＭ、ＣＪ、ＪＭなどの信号の交換があったか否かを調べ、あった場合にはＶ．３４受信とする方法でＶ．３４受信か否かを判定する（Ｓ１）。そして、Ｖ．３４受信であったならば（Ｓ１でＹ）、Ｖ．３４プロトコル制御部１０は取得した受信結果からプリエンファシス値を決定し、その値を記憶する（Ｓ２）。さらに、そのプリエンファシス値をＩＮＦＯｈ信号で発呼側に通知し、以下、図２に示した後続のＶ．３４受信動作（ＲＸ側シーケンス）を実行する（Ｓ３）。
次に、ＣＰＵ１はプリエンファシス情報操作を行う（Ｓ４）。プリエンファシス値とケーブルエコライザの設定値との相関関係を調べて出荷前に組み込まれている、図４に示したようなプリエンファシス値とケーブルエコライザの設定値とを対応付けた変換テーブルを用いて、記憶しておいたプリエンファシス値に対応したケーブルエコライザの設定値を取得し、当該ファクシミリ装置のエコライザをその設定値に設定するのである（この段階ではケーブルエコライザの設定値を取得して記憶しておくだけでもよい）。つまり、この実施例では、主として当該ファクシミリ装置から当該交換局までの距離（加入者線の長さ）で決まるプリエンファシス値に応じてケーブルエコライザの特性値を設定するように構成されているのである。なお、前記したような変換テーブルを用いて変換する方法は複雑な計算が不要で、容易に変換を実現できる。
一方、Ｖ．３４受信でなかったならば（Ｓ１でＮ）、ＣＰＵ１はＶ．３４送信か否かを判定し（Ｓ５）、Ｖ．３４送信であったならば（Ｓ５でＹ）、受信したＩＮＦＯｈ信号のプリエンファシス値を取得して記憶する（Ｓ６）。受信側がＩＮＦＯｈ信号にプリエンファシス値を設定することにより、送信側はこのように容易にプリエンファシス値を取得し記憶できるのである。
【００１１】
この後は、図２に示した後続のＶ．３４送信動作（ＴＸ側シーケンス）を実行する（Ｓ７）。さらに、ステップＳ４と同様にしてプリエンファシス情報操作を行う（Ｓ８）。
また、Ｖ．３４送信でもなかったならば（Ｓ５でＮ）、ＣＰＵ１はＶ．１７通信と判断する。そして、ケーブルイコライザの設定がまだ行なわれていないならば、記憶されている設定値を取り出してケーブルイコライザをその値に設定し（Ｓ９）、Ｖ．１７通信を行う（Ｓ１０）。
こうして、この実施例によれば、Ｖ．３４プロトコルに準拠した通信時に求めたプリエンファシス値をＶ．１７プロトコルに準拠した通信で使うケーブルイコライザの設定値に適用することができるので、手数をかけずに最適なケーブルイコライザの値を設定できる。
【００１２】
［第２の実施形態］
第２の実施形態のファクシミリ装置では、第１の実施形態において、プリエンファシス値を用いてケーブルイコライザを設定するか否かを選択できる。
以下、図５に示した動作フローに従って第２の実施形態を説明する。なお、この実施形態では、選択手段および操作手段がＣＰＵ１、操作表示部６などにより実現され、消去手段がＣＰＵ１などにより実現される。
まず、ＣＰＵ１が、操作表示部６を構成している表示装置に選択画面を表示させ、プリエンファシス値を用いてケーブルイコライザを設定する自動設定を行うか否かを選択させる。そして、利用者によりその自動設定を行わない旨が指示され（Ｓ１１でＮ）、その指示を受け取ると、ＣＰＵ１は設定フラグ＝０とする（Ｓ１２）。また、その自動設定を行う旨の指示を受け取ると（Ｓ１１でＹ）、ＣＰＵ１は設定フラグ＝１とする（Ｓ１３）。
次に、ＣＰＵ１は設定されているケーブルイコライザの設定値を消去するか否かを表示させ、消去しない旨が指示されたならば（Ｓ１４でＮ）、そのままこの動作フローを終了する。それに対して、消去する旨が指示されたならば（Ｓ１４でＹ）、ケーブルイコライザの設定値＝０（波形整形なし）とし（Ｓ１５）、この動作フローを終了する。
図６は前記した設定が行われていることを前提にしたファクシミリ通信時のプリエンファシス情報操作時の動作フロー図である。図示したように、この際、設定フラグが１か否かを判断する（Ｓ２１）。そして、１でなければ（Ｓ２１でＮ）、ケーブルイコライザの設定値を０にする（Ｓ２２）。また、１であれば（Ｓ２１でＹ）、ケーブルイコライザの設定値を図４に示した変換テーブルから求める（Ｓ２３）。なお、設定フラグが０の場合、図３に示したプリエンファシス値の保存（Ｓ２、Ｓ６）も行わないようにしてもよい。
このような第２の実施形態によれば、第１の実施形態において、プリエンファシス値を用いてケーブルイコライザを自動設定するか否かを利用者が選択できるので、最適な条件時にのみプリエンファシスを利用するようにできる。また、指示に応じてケーブルイコライザの設定値を消去するようにした構成では、ケーブルイコライザが残っていた設定値のまま意図に反して用いられてしまうというようなことがなくなる。
【００１３】
［第３の実施形態］
第３の実施形態では、プリエンファシス値変換命令が含まれたＮＳＦ信号またはＮＳＳ信号を相手側から受信したときだけプリエンファシス値からケーブルエコライザの設定値を求める。
以下、このプリエンファシス情報操作を図７に示した動作フローに従って説明する。
この場合では、図示したように、ＣＰＵ１は通信時、変換命令を含むＮＳＦ信号またはＮＳＳ信号を受信したか否かを判定し（Ｓ３１）、受信しなければ（Ｓ３１でＮ）、ケーブルイコライザの設定値を０にする（Ｓ３２）。また、変換命令を含むＮＳＦ信号またはＮＳＳ信号を受信したならば（Ｓ３１でＹ）、ケーブルイコライザの設定値を図４に示した変換テーブルから求める（Ｓ３３）。
このような実施形態によれば、プリエンファシス値変換命令が含まれたＮＳＦ信号またはＮＳＳ信号を相手側から受信したときだけプリエンファシス値からケーブルエコライザの設定値を求めるので、相手側の意図に応じてプリエンファシスを利用したケーブルイコライザの設定を行うことができる。
以上、Ｖ．３４プロトコルに準拠した通信で得たプリエンファシス値をＶ．１７プロトコルに準拠した通信におけるケーブルイコライザ設定に利用する場合について説明したが、Ｖ．３４プロトコルに準拠した通信で得たプリエンファシス値はＶ．１７プロトコルに準拠した通信におけるケーブルイコライザ設定だけでなく、Ｖ．２９やＶ．２７ｔｅｒの場合にも適用可能である。
また、前記した各実施形態では、１回の通信結果から当該ファクシミリ装置のプリエンファシス値を決定したが、複数回の通信結果の平均値を用いて決定するようにしてもよい。つまり、Ｖ．３４プロトコルに準拠した通信時、複数回の通信で得たそれぞれのプリエンファシス値を記憶しておき、記憶した複数のプリエンファシス値の平均を求めるのである。なお、この際、所定の複数回の結果が出る前の１回目だけの通信結果や所定の複数回より少ない複数回の平均値を用いることも可能である。このように、所定の複数回、またはそれより少ない複数回の平均値を用いる構成では、相手側の加入者線などの影響によるプリエンファシス値のばらつきに伴う誤差を少なくできる。
また、一度ケーブルイコライザの設定値を決定してから所定の期間後（例えば１年後）、プリエンファシス値の再取得をして、ケーブルイコライザの設定値を変更する構成も可能である。このような構成では、回線特性の経時的な変化に対応した適切なケーブルイコライザ設定が可能になる。
また、ファクシミリ通信装置が専用のファクシミリ装置の場合で説明したが、説明したようなプロトコルを実行できる装置であれば本発明によったファクシミリ通信装置は専用のファクシミリ装置に制限されない。例えば、デジタル複写機にファクシミリ通信手段を備えたような装置も含む。
【図面の簡単な説明】
【００１４】
【図１】本発明の一実施形態を示すファクシミリ装置要部の構成ブロック図。
【図２】本発明の一実施形態を示すファクシミリ装置のシーケンス図。
【図３】本発明の第１の実施例を示すファクシミリ装置要部の動作フロー図。
【図４】本発明の第１の実施例を示すファクシミリ装置要部のデータ構成図。
【図５】本発明の第２の実施例を示すファクシミリ装置要部の動作フロー図。
【図６】本発明の第２の実施例を示すファクシミリ装置要部の他の動作フロー図。
【図７】本発明の第３の実施例を示すファクシミリ装置要部の動作フロー図。
【符号の説明】
【００１５】
１  ＣＰＵ、４  スキャナ、５  プロッタ、６  操作表示部、７  網制御部、８  モデム、９  プロトコル制御部、１０  Ｖ．３４プロトコル制御部、１１  Ｖ．８プロトコル制御部
【図１】
2006229370.tif 000003
【図２】
2006229370.tif 000004
【図３】
2006229370.tif 000005
【図４】
2006229370.tif 000006
【図５】
2006229370.tif 000007
【図６】
2006229370.tif 000008
【図７】
2006229370.tif 000009